(57)【要約】      （修正有）【課題】開閉弁状態を正確に視認できるとともに、異物の侵入を防止できる開閉ハンドル及び、該開閉ハンドルを備えたバルブを提供する。【解決手段】バルブ装置の開閉弁機構のスピンドルを回転させるための開閉表示ハンドル１０を、スピンドルの軸心Ｌを中心として回転するハンドル側歯車１５１を有するハンドル本体１０Ｘと、開閉弁状態を表示する開閉表示部１３１及び表示体側歯車１３２を有する回転表示体１３と、自転可能に遊星歯車１４を軸支した回転固定体１６とで構成し、遊星歯車１４、ハンドル側歯車１５１及び表示体側歯車１３２で差動回転機構を構成し、回転表示体１３に被せられ、開閉表示部１３１のうち表示する部分を外部から視認可能に開口する開口部１２３を有する視認規制体１２と、視認規制体１２の外側全体を覆うとともに外側から視認可能に透過する透明カバー体１１とでハンドル本体１０Ｘを構成する。【選択図】図４
2019157979.tif 000002
【特許請求の範囲】
【請求項１】
バルブ装置の開閉弁の弁棒を回転させるための開閉ハンドルであって、
前記弁棒を回転させるとともに、前記弁棒の回転中心を中心として回転するハンドル側歯車を有するハンドル本体と、
前記開閉弁の開弁状態と閉弁状態の少なくとも一方を表示する表示部を有するとともに、前記弁棒の回転中心を中心として回転する表示体側歯車を有する回転表示体と、
前記バルブ装置に対して回転固定されるとともに、自転可能に自転歯車を軸支した回転固定体とが備えられるとともに、
前記ハンドル側歯車が前記表示体側歯車の歯数と異なる歯数で構成され、
前記バルブ装置に対して回転固定された前記回転固定体に自転可能に軸支された前記自転歯車と、
前記自転歯車と噛合する前記ハンドル側歯車と、
前記自転歯車と噛合する前記表示体側歯車とで、
前記ハンドル本体に対して前記回転表示体を差動回転させる差動回転機構が構成され、
前記ハンドル本体が、
前記回転表示体に被せられ、前記表示部の所要部分を外部から視認可能に開口する開口部を有するとともに、前記所要部分以外の部分の外部からの視認を規制する視認規制体と、
前記視認規制体の外側全体を覆うとともに、少なくとも前記開口部の外側から視認可能に透過する透過カバー体とで構成した
開閉ハンドル。
【請求項２】
前記透過カバー体は、
全体が外部から内部を視認可能に構成された
請求項１に記載の開閉ハンドル。
【請求項３】
前記視認規制体の肉厚が、前記透過カバー体の肉厚より薄く形成された
請求項１または２に記載の開閉ハンドル。
【請求項４】
前記表示部に、
視認可能な長さ、数、量及び数字によって開閉度合いを視認可能に表示する開閉度表示が設けられた
請求項１乃至３のうちいずれかに記載の開閉ハンドル。
【請求項５】
前記表示部が、
前記開弁状態を表示する開表示部と前記閉弁状態を表示する閉表示部との組み合わせで構成された
請求項１乃至４のうちいずれかに記載の開閉ハンドル。
【請求項６】
前記表示部が、
前記開表示部と前記閉表示部との複数の組み合わせで構成され、
前記視認規制体における前記開口部が、前記開表示部と前記閉表示部との組み合わせ数に対応して複数設けられた
請求項５に記載の開閉ハンドル。
【請求項７】
前記開表示部の開弁方向と逆側、及び前記閉表示部の閉弁方向と逆側のうち少なくとも一方に過回転状態を表示する過回転表示部が設けられた
請求項５または６に記載の開閉ハンドル。
【請求項８】
前記開口部が、
前記ハンドル本体における上方に向かって開口する上方開口部と、
前記ハンドル本体における側方に向かって開口する側方開口部とで構成された
請求項１乃至７のうちいずれかに記載の開閉ハンドル。
【請求項９】
請求項１乃至８のうちいずれかに記載の開閉ハンドルが、前記開閉弁の前記弁棒に装着された
バルブ装置。
【発明の詳細な説明】
【技術分野】
【０００１】
本発明は、例えば、ガスボンベのようなガス貯蔵容器や配管等に取り付け、ハンドルを回転操作して開閉弁を開閉し、ガスの出し入れを規制するバルブ装置及びバルブ装置に装着する開閉ハンドルに関する。
【背景技術】
【０００２】
従来より、ガスボンベのようなガス貯蔵容器等に取り付け、ハンドルを回転操作することで開閉弁を上下移動させて開閉して気体や液体等の流動体の出し入れを規制するバルブ装置が多用されている（特許文献１参照）。
【０００３】
例えば、特許文献１に記載のバルブ装置は、弁棒を回転させるハンドルと、ハンドル上方から開表示あるいは閉表示を視認される開閉表示部材とを備えるとともに、ハンドルと開閉表示部材との間に歯車伝達機構を構成しており、開弁状態および閉弁状態を読み取ることができる。
【０００４】
しかしながら、上述のような構成の場合、ハンドル上方から開閉表示を視認するため、ハンドル本体に開閉表示記号を視認する窓部を設けており、ハンドル本体と窓部との隙間から塵などの意図しない異物が侵入するおそれがあった。
【先行技術文献】
【特許文献】
【０００５】
【特許文献１】特開２０１２−２４６９６４号公報
【発明の概要】
【発明が解決しようとする課題】
【０００６】
そこで本発明は、開閉弁状態を正確に視認できるとともに、異物の侵入を防止できる開閉ハンドル及び、該開閉ハンドルを備えたバルブを提供することを目的とする。
【課題を解決するための手段】
【０００７】
この発明は、バルブ装置の開閉弁の弁棒を回転させるための開閉ハンドルであって、前記弁棒を回転させるとともに、前記弁棒の回転中心を中心として回転するハンドル側歯車を有するハンドル本体と、前記開閉弁の開弁状態と閉弁状態の少なくとも一方を表示する表示部を有するとともに、前記弁棒の回転中心を中心として回転する表示体側歯車を有する回転表示体と、前記バルブ装置に対して回転固定されるとともに、自転可能に自転歯車を軸支した回転固定体とが備えられるとともに、前記ハンドル側歯車が前記表示体側歯車の歯数と異なる歯数で構成され、前記バルブ装置に対して回転固定された前記回転固定体に自転可能に軸支された前記自転歯車と、前記自転歯車と噛合する前記ハンドル側歯車と、前記自転歯車と噛合する前記表示体側歯車とで、前記ハンドル本体に対して前記回転表示体を差動回転させる差動回転機構が構成され、前記ハンドル本体が、前記回転表示体に被せられ、前記表示部の所要部分を外部から視認可能に開口する開口部を有するとともに、前記所要部分以外の部分の外部からの視認を規制する視認規制体と、前記視認規制体の外側全体を覆うとともに、少なくとも前記開口部の外側から視認可能に透過する透過カバー体とで構成したことを特徴とする。
【０００８】
前記バルブ装置は、ガスボンベなどの容器に取り付けられる容器バルブ、配管に取り付けられる配管バルブなどであってもよい。  
前記開弁状態と閉弁状態の少なくとも一方を表示する表示部は、文字や記号による開閉表示、色彩による開閉表示、模様による開閉表示、および明暗による開閉表示のうちいずれか、あるいはそれらの組み合わせとしてもよい。  
上述の前記表示部の所要部分とは、前記開閉弁の開弁状態と閉弁状態の少なくとも一方を表示する表示部の一部や全部としてもよい。
【０００９】
この発明により、開閉弁状態を正確に視認できるとともに、開閉ハンドルへの異物の侵入を防止することができる。  
詳述すると、バルブ装置の開閉弁の弁棒を回転させるための開閉ハンドルとして、前記弁棒を回転させるとともに、前記弁棒の回転中心を中心として回転するハンドル側歯車を有するハンドル本体と、前記開閉弁の開弁状態と閉弁状態の少なくとも一方を表示する表示部を有するとともに、前記弁棒の回転中心を中心として回転する表示体側歯車を有する回転表示体と、前記バルブ装置に対して回転固定されるとともに、自転可能に自転歯車を軸支した回転固定体とが備えられるとともに、前記ハンドル側歯車が前記表示体側歯車の歯数と異なる歯数で構成され、前記バルブ装置に対して回転固定された前記回転固定体に自転可能に軸支された前記自転歯車と、前記自転歯車と噛合する前記ハンドル側歯車と、前記自転歯車と噛合する前記表示体側歯車とで、前記ハンドル本体に対して前記回転表示体を差動回転させる差動回転機構が構成されているため、前記弁棒を回転する前記ハンドル本体の回転に対して前記回転表示体を差動回転することができる。
【００１０】
具体的には、前記ハンドル側歯車の歯数を前記表示体側歯車の歯数より多く形成すると、前記ハンドル本体の回転より速く前記回転表示体が回転する。逆に、前記ハンドル側歯車の歯数を前記表示体側歯車の歯数より少なく形成すると、前記ハンドル本体の回転より遅く前記回転表示体が回転する。
【００１１】
また、前記ハンドル本体が、前記回転表示体に被せられ、前記表示部の所要部分を外部から視認可能に開口する開口部を有するとともに、前記所要部分以外の部分の外部からの視認を規制する視認規制体と、前記視認規制体の外側全体を覆うとともに、少なくとも前記開口部の外側から視認可能に透過する透過カバー体とで構成されているため、前記表示部の所要部分を外部から視認可能に開口する開口部を有する前記視認規制体の外側全体を透過カバー体で覆っており、開口部からの異物の侵入を防止することができる。
【００１２】
さらにまた、前記表示部の所要部分を外部から視認可能に開口する開口部を有する視認規制体を、ハンドル本体に対して差動回転する前記回転表示体に被せているため、開口部を介して外部に対して正確に開閉表示することができる。
【００１３】
仮に、ハンドル本体に対して差動回転する前記回転表示体の全体を覆うように透過カバー体を被せ、その外側に視認規制体を被せても、内部に異物の侵入を防止するとともに、ハンドル本体に対して回転表示体が差動回転することで、最外側に配置した視認規制体の開口部を介して開閉表示することはできる。
【００１４】
しかしながら、表示部の所要部分以外の部分の外部からの視認を規制する視認規制体と回転表示体との間に透過カバー体が介在するため、つまり、表示部の所要部分以外の部分と視認規制体は、透過カバー体の厚み分以上の径方向の間隔を隔てて配置されるため、前記開口部に対して放射方向外側から視認する場合には正確に開閉表示できるものの、斜め方向から開口部を視認すると、前記所要部分以外の部分に対して外部からの視認を正確に規制することができず、つまり径方向の間隔分誤差が生じて、正確に開閉表示できないおそれがある。
【００１５】
なお、ハンドル本体を構成する透過カバー体は前記弁棒を回転させるための強度を確保するため、その肉厚も厚くなり、肉厚が厚くなればなるほど、斜め方向から開口部を視認する場合において、前記所要部分以外の部分に対して外部からの視認を正確に規制することができず、正確に開閉表示できないおそれが高まる。
【００１６】
これに対し、前記表示部の所要部分を外部から視認可能に開口する開口部を有する視認規制体を、ハンドル本体に対して差動回転する前記回転表示体に被せているため、つまり、表示部の所要部分以外の部分と視認規制体との径方向の間隔が小さく、開口部を介して外部に対して正確に開閉表示することができる。
【００１７】
この発明の態様として、前記透過カバー体は、全体が外部から内部を視認可能に構成されてもよい。  
この発明により、透過カバー体全体が透過可能である、つまり透過性の一部品で構成するため、透過性部材と不透過性部材とを組み付けて構成した透過カバー体に比べて強度のある透過カバー体を構成することができる。
【００１８】
またこの発明の態様として、前記視認規制体の肉厚が、前記透過カバー体の肉厚より薄く形成されてもよい。  
この発明により、より正確に開閉表示することができる。具体的には、前記視認規制体の肉厚が、前記透過カバー体の肉厚より薄いため、視認方向にかかわらず正確に開閉表示することができる。
【００１９】
またこの発明の態様として、前記表示部に、視認可能な長さ、数、量及び数字によって開閉度合いを視認可能に表示する開閉度表示が設けられてもよい。  
上述の視認可能な長さ、数、量及び数字によって開閉度合いを視認可能に表示する開閉度表示とは、例えば、閉弁状態から開弁状態に向かって表示部に表示されるバーが長くなったり短くなる、徐々に目印の数が増減したり、目盛りが増減したり、あるいは徐々に表示される数字が増減したりことで開閉度合いを表示することが含まれる。
【００２０】
この発明により、正確な開閉表示に加え、開弁状態における開弁度合い及び閉弁状態における閉弁度合いを表示することができる。したがって、全開状態や全開状態に対する弁状態を確認することができる。よって、例えば、弁状態が全開状態や全開状態に近い場合に、回転させ過ぎて過回転状態となることを防止できる。
【００２１】
またこの発明の態様として、前記表示部が、前記開弁状態を表示する開表示部と前記閉弁状態を表示する閉表示部との組み合わせで構成されてもよい。  
この発明により、開表示部が表示されていれば開弁状態、あるいは開表示部が表示されていれば開弁状態であるため、開弁状態と閉弁状態とを見間違えること防止できる。
【００２２】
またこの発明の態様として、前記表示部が、前記開表示部と前記閉表示部との複数の組み合わせで構成され、前記視認規制体における前記開口部が、前記開表示部と前記閉表示部との組み合わせ数に対応して複数設けられてもよい。  
この発明により、複数箇所において開閉表示できるため、あらゆる角度から開閉表示を視認することができる。
【００２３】
またこの発明の態様として、前記開表示部の開弁方向と逆側、及び前記閉表示部の閉弁方向と逆側のうち少なくとも一方に過回転状態を表示する過回転表示部が設けられてもよい。  
なお、前記過回転表示部は、全閉状態あるいは全開状態に対する過回転領域に設けてもよいが、全閉状態あるいは全開状態に対する手前から過回転領域にわたって設けてもよい。
【００２４】
この発明により、過回転状態を防止することができる。単に、開表示部と閉表示部とで開閉表示する場合、過回転状態であっても認識することができないが、過回転表示部を視認することで過回転状態であることを認識することができる。
【００２５】
またこの発明の態様として、前記開口部が、前記ハンドル本体における上方に向かって開口する上方開口部と、前記ハンドル本体における側方に向かって開口する側方開口部とで構成されてもよい。  
この発明により、ハンドル上方及びハンドル側方から開閉表示を視認することができる。
【００２６】
またこの発明は、上述の開閉ハンドルが、前記開閉弁の前記弁棒に装着されたバルブ装置であることを特徴とする。  
この発明により、開閉弁状態を正確に視認できるとともに、開閉ハンドルへの異物の侵入を防止することができるバルブ装置を構成することができる。
【発明の効果】
【００２７】
本発明により、開閉弁状態を正確に視認できるとともに、異物の侵入を防止できる開閉ハンドル及び、該開閉ハンドルを備えたバルブを提供することができる。
【図面の簡単な説明】
【００２８】
【図１】バルブ装置の正面図。
【図２】バルブ装置の断面図。
【図３】開閉表示ハンドルの斜視図による説明図。
【図４】開閉表示ハンドルの分解斜視図。
【図５】開閉表示ハンドルの分解斜視図。
【図６】差動機構の斜視図。
【図７】開閉表示ハンドルによる開閉表示を説明する説明図。
【図８】開閉表示ハンドルによる開閉表示を説明する説明図。
【発明を実施するための形態】
【００２９】
この発明の一実施形態を、図１乃至図８とともに説明する。  
なお、図１はバルブ装置１の正面図を示し、図２はバルブ装置１の断面図を示し、図３は開閉表示ハンドル１０の斜視図による説明図を示し、図４，図５は開閉表示ハンドル１０の分解斜視図を示し、図６は差動回転機構１０Ｙの斜視図を示し、図７，８は開閉表示ハンドル１０による開閉表示を説明する説明図を示している。
【００３０】
詳述すると、図２は図１のＡ−Ａ線断面図を示し、図３（ａ）は開閉表示ハンドル１０の上方からの斜視図を示し、図３（ｂ）は開閉表示ハンドル１０の下方からの斜視図を示し、図４は開閉表示ハンドル１０の上方からの分解斜視図を示し、図５は開閉表示ハンドル１０の下方からの分解斜視図を示している。また、図６において、差動回転機構１０Ｙの構成を説明するため、差動回転機構１０Ｙを構成する回転表示体１３の手前側の一部を切欠いて図示している。
【００３１】
図７（ａ）は開閉表示ハンドル１０の拡大正面図を示し、図７（ｂ）は回転表示体１３の拡大斜視図を示し、図８は開口部１２３から視認する開閉表示の表示状態を示している。具体的には、図８（ａ）は閉弁状態の開閉表示を示し、図８（ｂ）は閉弁状態から開弁状態に向かう途中の状態の開閉表示を示し、図８（ｃ）は開弁状態の開閉表示を示し、図８（ｄ）は開弁状態において過回転表示を示し、図８（ｅ）は閉弁状態において過回転表示を示している。
【００３２】
バルブ装置１は、図示省略するボンベ容器（図示省略）の上部に装着される容器バルブ装置であり、縦長のハウジング３１と、ハウジング３１の下部において、ボンベ容器（図示省略）の上部に螺合して取り付けられる容器取付け部３２と、ハウジング３１の中段付近において側方に突出する態様のアウトレット４０と、ハウジング３１の上部において装着される開閉弁機構５０と、開閉弁機構５０に装着する開閉表示ハンドル１０とで構成している。
【００３３】
なお、開閉弁機構５０における各構成要素同士の対向部分、あるいは開閉弁機構５０とハウジング３１との対向部分における適宜の箇所にはＯリングを設置するが、Ｏリングの図示や詳しい説明については適宜省略する。
【００３４】
ハウジング３１の内部には、図２に示すように、上部において開閉弁機構５０の装着を許容する閉止弁装着凹部６１、閉止弁装着凹部６１の下端と容器取付け部３２の下端まで連通する一次側流路６２、閉止弁装着凹部６１の下端からアウトレット４０の先端まで連通する二次側流路６３を備えている。
【００３５】
閉止弁装着凹部６１は、上方が開放された略円筒形の凹部である作動室６１ａと、該作動室６１ａの下方においてひとまわり径の小さな閉止弁室６１ｂとで構成している。なお、閉止弁室６１ｂの底面には、一次側流路６２の上端が連通し、上端開口６２ａが形成され、上端開口６２ａの開口外縁に沿って上方に突出する開口弁座６２ｂが形成されている
【００３６】
そして、ハウジング３１には、閉止弁室６１ｂ、一次側流路６２及び二次側流路６３によって、容器取付け部３２の下端からアウトレット４０の先端まで連通する流路６０が形成されている。
【００３７】
閉止弁装着凹部６１に装着する開閉弁機構５０は、図２に示すように、開閉表示ハンドル１０と、グランドナット５２と、スピンドル５３と、中間伝動具５４と、中間伝動具５４の底面に装着した閉止部材５５とで構成している。  
開閉表示ハンドル１０は、詳細について後述するが、スピンドル５３の上部の被嵌合部５３ａの嵌合を許容する嵌合部１０ａを備えている。
【００３８】
グランドナット５２は、頭部ナット部５２ａと、閉止弁装着凹部６１の作動室６１ａの内面に形成した雌ネジと螺合する雄ネジ部５２ｂとで構成する中空の略円筒形である。  
スピンドル５３は、図２に示すように、開閉表示ハンドル１０の嵌合部１０ａに嵌合する被嵌合部５３ａを上部に備え、中間伝動具５４のスピンドル嵌合凹部５４ａに嵌合する嵌合部５３ｂを下部に備えている。
【００３９】
中間伝動具５４は、図２に示すように、略円柱状であり、スピンドル５３の嵌合部５３ｂの嵌合を許容するスピンドル嵌合凹部５４ａを上端に備え、閉止部材５５の嵌合を許容する閉止部材嵌合凹部５４ｂを下部に備えている。  
閉止部材５５は、図２に示すように、中間伝動具５４の閉止部材嵌合凹部５４ｂに嵌合する平面視円形の弾性部材であり、閉弁状態で開口弁座６２ｂが食い込み可能に構成している。
【００４０】
このように、開閉表示ハンドル１０、グランドナット５２、スピンドル５３、中間伝動具５４、及び閉止部材５５で構成する開閉弁機構５０は、中間伝動具５４の閉止部材嵌合凹部５４ｂに閉止部材５５を嵌合させるとともに、スピンドル５３の嵌合部５３ｂを中間伝動具５４のスピンドル嵌合凹部５４ａに嵌合し、スピンドル５３にグランドナット５２を装着して、グランドナット５２の雄ネジ部５２ｂと閉止弁装着凹部６１の雌ネジと螺合させて、閉止弁装着凹部６１に装着する。そして、スピンドル５３の被嵌合部５３ａに開閉表示ハンドル１０の嵌合部１０ａを嵌合して、開閉弁機構５０の組み付けを完了する。
【００４１】
このように構成した開閉弁機構５０は、スピンドル５３の中心を通る鉛直方向の軸心Ｌを中心に開閉表示ハンドル１０を締め付け方向に螺入回転することで、スピンドル５３を介して中間伝動具５４を下方に押し付ける。このとき、中間伝動具５４の閉止部材嵌合凹部５４ｂに嵌合した閉止部材５５に上端開口６２ａの周囲に形成した開口弁座６２ｂが食い込み、閉止部材５５によって上端開口６２ａを封止する。この状態を閉弁状態（全閉状態）とする。
【００４２】
逆に、軸心Ｌを中心に開閉表示ハンドル１０を緩み方向に回転させて、スピンドル５３を螺出すると、スピンドル５３を介して、中間伝動具５４が上方に移動するため、上端開口６２ａは開放され、一次側流路６２、閉止弁室６１ｂ及び二次側流路６３が連通し、流路６０は導通状態となる。この状態を開弁状態とする。
【００４３】
上述の開閉弁機構５０による封止状態を閉弁状態とし、開閉弁機構５０よる開放状態を開弁状態として開閉表示する開閉表示ハンドル１０は、透明カバー体１１、視認規制体１２、回転表示体１３、二つの遊星歯車１４、内歯車リング１５及び回転固定体１６で構成している。
【００４４】
また、上記構成を備えた開閉表示ハンドル１０では透明カバー体１１、視認規制体１２及び内歯車リング１５で、バルブ装置１の開閉弁機構５０のスピンドル５３を回転させるためのハンドル本体１０Ｘを構成するとともに、回転表示体１３の表示体側歯車１３２と、自転可能に回転固定体１６に軸支された２つの遊星歯車１４と、内歯車リング１５とで差動回転機構１０Ｙを構成している。
【００４５】
なお、透明カバー体１１、視認規制体１２及び内歯車リング１５で構成したハンドル本体１０Ｘは、開閉弁機構５０のスピンドル５３を回転させるとともに、軸心Ｌを中心として回転する内歯車リング１５のハンドル側歯車１５１を有するとともに、平面視方向において五方向に径外側に円弧状に突出する角部が丸い略星形であり、平面視中央の下方に嵌合部１０ａを設けている。
【００４６】
上述のようなハンドル本体１０Ｘを構成する透明カバー体１１は、後述の視認規制体１２の外側全体を覆うとともに、視認規制体１２における開口部１２３の外側から視認可能に透過する透明な樹脂で全体を構成した、五方向に径外側に円弧状に突出する角部が丸い略星形筒状である。
【００４７】
詳述すると、五方向に径外側に円弧状に突出する角部が丸い略星形の星形上面１１１と、星形上面１１１における五方向に突出する半円弧状部分の側面である円弧側面１１２と、周方向に隣り合う円弧側面１１２同士の間において所定幅で略フラット状の側面窓部１１３とで構成している。
【００４８】
なお、五方向に径外側に円弧状に突出する角部が丸い略星形の星形上面１１１の側面である円弧側面１１２同士の間に配置される側面窓部１１３は５箇所設けられることとなる。  
また、平面視中央において、上下方向に貫通し、スピンドル５３が挿通される貫通孔１１４ａが底面に有する有底円筒状の嵌合凹部１１４を設けている。
【００４９】
透明カバー体１１の内側に配置され、後述する回転表示体１３に被せられる視認規制体１２は、透明カバー体１１よりひとまわり小さな五方向に径外側に円弧状に突出する角部が丸い略星形であり、平面視中央に透明カバー体１１の嵌合凹部１１４が挿通される挿通孔１２４を設けている。なお、視認規制体１２は透明カバー体１１より薄い肉厚で構成している。
【００５０】
詳しくは、平面視中央の挿通孔１２４の周囲において、五方向に突出する平面視馬蹄形を有する馬蹄上面１２１と、馬蹄上面１２１において各馬蹄形の径外側の円弧部における円弧側面１２２とを一体構成し、周方向に隣り合う馬蹄上面１２１及び円弧側面１２２の間を開口部１２３としている。  
なお、馬蹄上面１２１において五方向に突出する平面視馬蹄形部分同士及び円弧側面１２２同士の間に配置される開口部１２３は５箇所設けられることとなる。
【００５１】
なお、馬蹄上面１２１は平面視中央側が上方に凸状となる略ドーム状である。また、開口部１２３のうち周方向に隣り合う馬蹄上面１２１同士の間を上方開口部１２３ａとし、周方向に隣り合う円弧側面１２２同士の間を側方開口部１２３ｂとしている。なお、開口部１２３の幅は、閉表示部１３１ａ及び開表示部１３１ｂの幅より狭く形成している。また、視認規制体１２における円弧側面１２２の底部には、後述する内歯車リング１５の嵌合凸部１５２と嵌合する嵌合部１２５を備えている。
【００５２】
回転表示体１３は、開閉弁機構５０の弁状態を表示する開閉表示部１３１が表示され、外壁と内壁とで構成されたリング状であり、外壁の下端が下方に延びるとともに、内周面に複数のギア歯で構成し、後述する遊星歯車１４と噛合する表示体側歯車１３２を設けている。また、内壁の下端部に径内側に突出する係合凸部１３４を設けている。
【００５３】
開閉表示部１３１は、図７（ｂ）に示すように、所定幅の閉表示部１３１ａ、所定幅の開表示部１３１ｂ及び細い幅の過回転表示部１３１ｃがこの順で周方向に配置されるとともに、繰り返して配置されている。なお、本実施形態では、閉表示部１３１ａ、開表示部１３１ｂ及び過回転表示部１３１ｃの組み合わせを周方向に五組設けている。
【００５４】
閉弁状態を表示する閉表示部１３１ａは“閉”の文字とその背景を赤色表示し、開弁状態を表示する開表示部１３１ｂは“開”の文字とその背景を緑色表示し、過回転表示部１３１ｃは黄色表示している。
【００５５】
なお、図４、５、７には文字表示及び後述する開閉度表示部１３３の図示を省略している。また、開閉表示部１３１は外壁と内壁とで構成されたリング状に構成された回転表示体１３の外周面と上面に亘って設けている。
【００５６】
また、閉表示部１３１ａ及び開表示部１３１ｂには、上述の文字及び背景色による開閉表示に加えて開閉度表示部１３３を備えている。開閉度表示部１３３のうち閉表示部１３１ａに表示する閉度表示１３３ａは、隣接する開表示部１３１ｂ（本実施形態では時計回り隣側（図８では左側））との境界を始点として、周方向において反対側に隣接する過回転表示部１３１ｃ（本実施形態では反時計回り隣側（図８では右側））に向かって徐々に高くなる正面視直角三角形状に図示している。
【００５７】
開閉度表示部１３３のうち開表示部１３１ｂに表示する開度表示１３３ｂは、隣接する閉表示部１３１ａ（本実施形態では反時計回り隣側（図８では右側））との境界を始点として、周方向において反対側に隣接する過回転表示部１３１ｃ（本実施形態では時計回り隣側（図８では左側））に向かって徐々に高くなる正面視直角三角形状に図示している。
【００５８】
遊星歯車１４は、後述する回転固定体１６の支持柱１６２に自転可能に軸支される歯車であり、平面視において軸心Ｌを挟んで二つ設けている。なお、遊星歯車１４は、後述する内歯車リング１５に対して２倍程度の高さで構成している。
【００５９】
内歯車リング１５は、回転表示体１３の外壁と同じ外径を有するリング体であり、内周に沿って複数のギア歯で構成し、遊星歯車１４と噛合するハンドル側歯車１５１を設け、リング体の外周において、径外側に突出する嵌合凸部１５２を複数設けている。
【００６０】
なお、遊星歯車１４と噛合するハンドル側歯車１５１のギア歯の数、つまりギア数は、遊星歯車１４と噛合する表示体側歯車１３２のギア数に比べて多く設けている。本実施形態においては、表示体側歯車１３２のギア数４４に対してハンドル側歯車１５１のギア数は５０で形成している。
【００６１】
回転固定体１６は、開閉表示ハンドル１０の底部を構成する円盤状であり、底面に頭部ナット部５２ａが嵌合する固定凹部１６１を設けるとともに、上面に、支持柱１６２、係合フック１６３、位置規制壁１６４を設けている。
【００６２】
固定凹部１６１は、平面視六角状の頭部ナット部５２ａが三方向で嵌合できるように１８個の角部を有する上方に凹状となる凹部であり、頭部ナット部５２ａの上方から嵌合可能に構成している。
【００６３】
支持柱１６２は、上述の遊星歯車１４が、表示体側歯車１３２及びハンドル側歯車１５１と噛合可能な径方向位置で遊星歯車１４を自転可能に軸支する円筒状の柱であり、２本の支持柱１６２を軸心Ｌを挟んで平面視方向に対称な位置に配置している。
【００６４】
係合フック１６３は回転表示体１３の内壁の内周面に設けた係合凸部１３４に係合するフックであり、２本の係合フック１６３を軸心Ｌを挟んで平面視方向に対称な位置、かつ２本の支持柱１６２と直交する向きに配置している。
【００６５】
位置規制壁１６４は、２本の支持柱１６２と２本の係合フック１６３との間に形成された平面視円弧状の壁であり、回転固定体１６の上面に載置された内歯車リング１５の内側に位置して、回転固定体１６に対する内歯車リング１５の平面視方向を規制するよう構成している。
【００６６】
このように各要素を構成した開閉表示ハンドル１０の組み付けについて、以下で説明する。  
まず、回転固定体１６の支持柱１６２に遊星歯車１４を装着するとともに、回転固定体１６の上面に内歯車リング１５を載置する。その上から、回転表示体１３を設置して、図６に示すように差動回転機構１０Ｙを構成する。
【００６７】
具体的には、回転固定体１６の上面に載置された内歯車リング１５は、位置規制壁１６４によって回転固定体１６に対する平面視方向の位置を規制された状態で、回転可能に載置される。  
このとき、遊星歯車１４と内歯車リング１５のハンドル側歯車１５１とが噛合することとなる。
【００６８】
さらに、内歯車リング１５の上に回転表示体１３が設置され、係合フック１６３が係合凸部１３４に係合しているため、回転表示体１３は、回転固定体１６に対して上下方向に規制されるが、回転固定体１６に対して回転自在に設置されることとなる。
【００６９】
このとき、回転表示体１３の表示体側歯車１３２も遊星歯車１４と噛合することとなる。  
つまり、遊星歯車１４は下方で内歯車リング１５のハンドル側歯車１５１と噛合し、上方で回転表示体１３の表示体側歯車１３２と噛合している。そのため、回転固定体１６に対して、回転表示体１３及び内歯車リング１５の一方を回転させると、遊星歯車１４を介して他方を同方向に回転させることができる差動回転機構１０Ｙを構成することができる。
【００７０】
具体的には、内歯車リング１５を回転固定体１６に対して回転させると、回転固定体１６に自転可能に軸支された遊星歯車１４は内歯車リング１５のハンドル側歯車１５１と下方で噛合しているため、自転することとなる。そして自転する遊星歯車１４の上方と回転表示体１３の表示体側歯車１３２が噛合しているため、遊星歯車１４の自転回転によって回転表示体１３が、内歯車リング１５と同方向に回転することになる。
【００７１】
このとき、内歯車リング１５のハンドル側歯車１５１と回転表示体１３の表示体側歯車１３２とはギア数が異なるため、同方向に回転する回転表示体１３と内歯車リング１５とは異なる回転速度で回転する、つまり差動回転することとなる。ハンドル側歯車１５１のギア数を表示体側歯車１３２のギア数より多く形成した本実施形態では、内歯車リング１５の回転に対して回転表示体１３が早く回転する、つまり増速回転する増速機構を構成することができる。
【００７２】
このように回転固定体１６、内歯車リング１５、遊星歯車１４及び回転表示体１３を組み付けて構成した差動回転機構１０Ｙに対して、視認規制体１２及び透明カバー体１１で構成するハンドル本体１０Ｘを組み付けて開閉表示ハンドル１０を構成する。
【００７３】
詳述すると、ハンドル本体１０Ｘを構成する視認規制体１２を回転表示体１３の上方から被せるとともに、内歯車リング１５と一体化する。内歯車リング１５と視認規制体１２との一体化は、内歯車リング１５の嵌合凸部１５２を視認規制体１２の嵌合部１２５に嵌合させて一体化する。
【００７４】
これにより、一体化した視認規制体１２と内歯車リング１５とによって上下方向から回転表示体１３を囲む態様となる。視認規制体１２及び内歯車リング１５によって囲まれた回転表示体１３は、視認規制体１２及び内歯車リング１５に対して回転自在な状態であるとともに、視認規制体１２の開口部１２３から回転表示体１３の開閉表示部１３１を外部から視認可能になる。
【００７５】
このように回転表示体１３に被せた視認規制体１２の上方から透明カバー体１１を被せて一体化することでハンドル本体１０Ｘを構成するとともに、開閉表示ハンドル１０の組み付けを完了する。なお、視認規制体１２と透明カバー体１１とを組み付けてハンドル本体１０Ｘを構成してから、視認規制体１２を回転表示体１３に被せるようにハンドル本体１０Ｘを装着してもよい。
【００７６】
このように組み付けられた開閉表示ハンドル１０は、透明カバー体１１全体が透明であるため、上述したように、視認規制体１２の開口部１２３を介して回転表示体１３の開閉表示部１３１を外部から視認可能となり、弁状態及び開閉度合いを表示することができる（図８参照）。
【００７７】
また、側面窓部１１３を構成する透明カバー体１１には、水平方向の基準線１１５を設けている。基準線１１５は、直角三角形状の開閉度表示部１３３の頂部に対応する上方に配置された上方基準線１１５ａと、上方基準線１１５ａに対して半分くらいの高さの位置に配置された中間基準線１１５ｂを表示している。
【００７８】
続いて、開閉表示ハンドル１０における開閉表示について詳細に説明する。  
まず、全閉状態（図８（ａ）参照）から全開状態（図８（ｃ）参照）まで開閉表示ハンドル１０を回転させる場合について説明する。
【００７９】
図８（ａ）で示す全閉状態では、側面窓部１１３には閉表示部１３１ａが表示されるとともに、直角三角形状の閉度表示１３３ａの頂部と上方基準線１１５ａとが一致する状態となる。  
この全閉状態から開弁するためには、スピンドル５３を螺出する方向、つまり反時計回りに開閉表示ハンドル１０を回転させる。この開閉表示ハンドル１０の回転によって、回転固定体１６は頭部ナット部５２ａに固定されているため、回転固定体１６とハンドル本体１０Ｘとで相対回転する。この回転固定体１６に対するハンドル本体１０Ｘの相対回転を差動回転機構１０Ｙによって、回転表示体１３は回転固定された回転固定体１６に対して相対回転するとともに、ハンドル本体１０Ｘに対して差動回転することとなる。
【００８０】
そのため、側面窓部１１３には、図８（ｂ）に示すように、ハンドル本体１０Ｘに対して差動回転した回転表示体１３の閉表示部１３１ａと開表示部１３１ｂとがともに表示されることとなる。この表示状態では、全閉状態から開弁された状態であることを視認することができる。
【００８１】
なお、その開度は、側面窓部１１３における移動方向後ろ側に表示されている開度表示１３３ｂによって表示することができる。具体的には、図８（ｂ）に示す状態における開度は、側面窓部１１３の左際に露出する開度表示１３３ｂが中間基準線１１５ｂと一致する程度であるため、全開状態に対して５０％程度の開放状態であることを視認できる。
【００８２】
さらに、開閉表示ハンドル１０を反時計回りに回転させると、側面窓部１１３に露出する開表示部１３１ｂが閉表示部１３１ａよりどんどん大きくなり、側面窓部１１３の左際に露出する開度表示１３３ｂの高さが高くなって、上方基準線１１５ａに近づいてくる。つまり全開状態に近づいてきていることを認識することができる。
【００８３】
開閉表示ハンドル１０を反時計回りに全開状態まで回転させると、図８（ｃ）に示すように、側面窓部１１３に開表示部１３１ｂのみが露出し、側面窓部１１３の左際に露出する開度表示１３３ｂの頂部が上方基準線１１５ａと一致することとなる。
【００８４】
この全開状態よりさらに開閉表示ハンドル１０を反時計回りに回転させると、スピンドル５３の螺出限界を超えて噛み込むこととなるため、このような全開状態を超える過回転状態では、図８（ｄ）に示すように、側面窓部１１３の左際に過回転表示部１３１ｃが露出し、過回転状態となっていることを視認することができる。
【００８５】
逆に、図８（ａ）に示す全閉状態から開閉表示ハンドル１０を時計回りに回転させた締め付け方向の過回転状態では、開放状態における過回転状態と同様にスピンドル５３が噛み込むとともに、中間伝動具５４の閉止部材嵌合凹部５４ｂに嵌合させた閉止部材５５が圧密されて割れが生じる恐れがある。そのため、このような全閉状態を超える過回転状態では、図８（ｅ）に示すように、側面窓部１１３の右際に過回転表示部１３１ｃが露出し、過回転状態となっていることを視認することができる。
【００８６】
上述したように、バルブ装置１の開閉弁機構５０のスピンドル５３を回転させるための開閉表示ハンドル１０を、スピンドル５３を回転させるとともに、スピンドル５３の軸心Ｌを中心として回転するハンドル側歯車１５１を有するハンドル本体１０Ｘと、開閉弁機構５０の開弁状態と閉弁状態の少なくとも一方を表示する開閉表示部１３１を有するとともに、スピンドル５３の軸心Ｌを中心として回転する表示体側歯車１３２を有する回転表示体１３と、バルブ装置１に対して回転固定されるとともに、自転可能に遊星歯車１４を軸支した回転固定体１６とが備えられるとともに、ハンドル側歯車１５１が表示体側歯車１３２の歯数と異なる歯数で構成され、バルブ装置１に対して回転固定された回転固定体１６に自転可能に軸支された遊星歯車１４と、遊星歯車１４と噛合するハンドル側歯車１５１と、遊星歯車１４と噛合する表示体側歯車１３２とで、ハンドル本体１０Ｘに対して回転表示体１３を差動回転させる差動回転機構１０Ｙが構成され、ハンドル本体１０Ｘが、回転表示体１３に被せられ、開閉表示部１３１のうち表示する部分を外部から視認可能に開口する開口部１２３を有するとともに、非表示部分の外部からの視認を規制する視認規制体１２と、視認規制体１２の外側全体を覆うとともに、少なくとも開口部１２３の外側から視認可能に透過する透明カバー体１１とで構成したため、開閉弁状態を正確に視認できるとともに、開閉表示ハンドル１０への異物の侵入を防止することができる。
【００８７】
詳述すると、バルブ装置１の開閉弁機構５０のスピンドル５３を回転させるための開閉表示ハンドル１０として、スピンドル５３を回転させるとともに、スピンドル５３の軸心Ｌを中心として回転するハンドル側歯車１５１を有するハンドル本体１０Ｘと、開閉弁機構５０の開弁状態と閉弁状態の少なくとも一方を表示する開閉表示部１３１を有するとともに、スピンドル５３の軸心Ｌを中心として回転する表示体側歯車１３２を有する回転表示体１３と、バルブ装置１に対して回転固定されるとともに、自転可能に遊星歯車１４を軸支した回転固定体１６とが備えられるとともに、ハンドル側歯車１５１が表示体側歯車１３２の歯数と異なる歯数で構成され、バルブ装置１に対して回転固定された回転固定体１６に自転可能に軸支された遊星歯車１４と、遊星歯車１４と噛合するハンドル側歯車１５１と、遊星歯車１４と噛合する表示体側歯車１３２とで、ハンドル本体１０Ｘに対して回転表示体１３を差動回転させる差動回転機構１０Ｙが構成されているため、スピンドル５３を回転するハンドル本体１０Ｘの回転に対して回転表示体１３を差動回転することができる。
【００８８】
また、ハンドル本体１０Ｘが、回転表示体１３に被せられ、開閉表示部１３１のうち表示する部分を外部から視認可能に開口する開口部１２３を有するとともに、非表示部分の外部からの視認を規制する視認規制体１２と、視認規制体１２の外側全体を覆うとともに、少なくとも開口部１２３の外側から視認可能に透過する透明カバー体１１とで構成されているため、開閉表示部１３１のうち表示する部分を外部から視認可能に開口する開口部１２３を有する視認規制体１２の外側全体を透明カバー体１１で覆っており、開口部１２３からの異物の侵入を防止することができる。
【００８９】
さらにまた、開閉表示部１３１のうち表示する部分を外部から視認可能に開口する開口部１２３を有する視認規制体１２を、ハンドル本体１０Ｘに対して差動回転する回転表示体１３に被せているため、開口部１２３を介して外部に対して正確に開閉表示することができる。
【００９０】
仮に、ハンドル本体１０Ｘに対して差動回転する回転表示体１３の全体を覆うように透明カバー体１１を被せ、その外側に視認規制体１２を被せても、内部に異物の侵入を防止するとともに、ハンドル本体１０Ｘに対して回転表示体１３が差動回転することで、最外側に配置した視認規制体１２の開口部１２３を介して開閉表示することはできる。
【００９１】
しかしながら、開閉表示部１３１の非表示部分の外部からの視認を規制する視認規制体１２と回転表示体１３との間に透明カバー体１１が介在するため、つまり、開閉表示部１３１の非表示部分と視認規制体１２は、透明カバー体１１の厚み分以上の径方向の間隔を隔てて配置されるため、開口部１２３に対して放射方向外側から視認する場合には正確に開閉表示できるものの、斜め方向から開口部１２３を視認すると、非表示部分に対して外部からの視認を正確に規制することができず、つまり径方向の間隔分誤差が生じて、正確に開閉表示できないおそれがある。
【００９２】
なお、ハンドル本体１０Ｘを構成する透明カバー体１１はスピンドル５３を回転させるための強度を確保するため、その肉厚も厚くなり、肉厚が厚くなればなるほど、斜め方向から開口部１２３を視認する場合において、非表示部分に対して外部からの視認を正確に規制することができず、正確に開閉表示できないおそれが高まる。
【００９３】
これに対し、開閉表示部１３１のうち表示する部分を外部から視認可能に開口する開口部１２３を有する視認規制体１２を、ハンドル本体１０Ｘに対して差動回転する回転表示体１３に被せているため、つまり、開閉表示部１３１の非表示部分と視認規制体１２との径方向の間隔が小さく、開口部１２３を介して外部に対して正確に開閉表示することができる。
【００９４】
また、透明カバー体１１は、全体が外部から内部を視認可能に構成されているため、透明カバー体１１全体が透過可能である、つまり透過性の一部品で構成するため、透過性部材と不透過性部材とを組み付けて構成した透明カバー体１１に比べて強度のある透明カバー体１１を構成することができる。  
また、視認規制体１２の肉厚が、透明カバー体１１の肉厚より薄く形成されているため、視認方向にかかわらずより正確に開閉表示することができる。
【００９５】
また、開閉表示部１３１に、視認可能な長さによって開閉度合いを視認可能に表示する開閉度表示部１３３が設けられているため、正確な開閉表示に加え、開弁状態における開弁度合い及び閉弁状態における閉弁度合いを表示することができる。したがって、全開状態や全開状態に対する弁状態を確認することができる。よって、例えば、弁状態が全開状態や全開状態に近い場合に、回転させ過ぎて過回転状態となることを防止できる。
【００９６】
また、開閉表示部１３１が、開弁状態を表示する開表示部１３１ｂと閉弁状態を表示する閉表示部１３１ａとの組み合わせで構成されているため、開表示部１３１ｂが表示されていれば開弁状態、あるいは開表示部１３１ｂが表示されていれば開弁状態であるため、開弁状態と閉弁状態とを見間違えること防止できる。
【００９７】
また、開閉表示部１３１が、開表示部１３１ｂと閉表示部１３１ａとの複数の組み合わせで構成され、視認規制体１２における開口部１２３が、開表示部１３１ｂと閉表示部１３１ａとの組み合わせ数に対応して複数設けられているため、複数箇所において開閉表示できるため、あらゆる角度から開閉表示を視認することができる。
【００９８】
また、開表示部１３１ｂの開弁方向と逆側、及び閉表示部１３１ａの閉弁方向と逆側のうち少なくとも一方に過回転状態を表示する過回転表示部１３１ｃが設けられているため、過回転状態を防止することができる。単に、開表示部１３１ｂと閉表示部１３１ａとで開閉表示する場合、過回転状態であっても認識することができないが、過回転表示部１３１ｃを視認することで過回転状態であることを認識することができる。
【００９９】
また、開口部１２３が、ハンドル本体１０Ｘにおける上方に向かって開口する上方開口部１２３ａと、ハンドル本体１０Ｘにおける側方に向かって開口する側方開口部１２３ｂとで構成されているため、ハンドル上方及びハンドル側方から開閉表示を視認することができる。  
なお、上述の開閉表示ハンドル１０が、開閉弁機構５０のスピンドル５３に装着されたバルブ装置１は、開閉弁状態を正確に視認できるとともに、開閉表示ハンドル１０への異物の侵入を防止することができる。
【０１００】
この発明の構成と、上述の実施形態との対応において、この発明のバルブ装置はバルブ装置１に対応し、
以下同様に、
開閉弁は開閉弁機構５０に対応し、
弁棒はスピンドル５３に対応し、
開閉ハンドルは開閉表示ハンドル１０に対応し、
回転中心は軸心Ｌに対応し、
ハンドル側歯車はハンドル側歯車１５１に対応し、
ハンドル本体はハンドル本体１０Ｘに対応し、
表示部は開閉表示部１３１に対応し、
表示体側歯車は表示体側歯車１３２に対応し、
回転表示体は回転表示体１３に対応し、
自転歯車は遊星歯車１４に対応し、
回転固定体は回転固定体１６に対応し、
差動回転機構は差動回転機構１０Ｙに対応し、
開口部は開口部１２３に対応し、
視認規制体は視認規制体１２に対応し、
透過カバー体は透明カバー体１１に対応し、
開閉度表示は開閉度表示部１３３に対応し、
開表示部は開表示部１３１ｂに対応し、
閉表示部は閉表示部１３１ａに対応し、
過回転表示部は過回転表示部１３１ｃに対応し、
上方開口部は上方開口部１２３ａに対応し、
側方開口部は側方開口部１２３ｂに対応するが、
この発明は、上述の実施形態の構成のみに限定されるものではなく、多くの実施の形態を得ることができる。  
例えば、上述の説明では、バルブ装置１は、ガスボンベなどの容器に取り付けられる容器バルブで構成したが、配管に取り付けられる配管バルブなどであってもよい。
【０１０１】
開弁状態と閉弁状態の少なくとも一方を表示する開閉表示部１３１は、文字による開閉表示、色彩による開閉表示、模様による開閉表示、および明暗による開閉表示のうちいずれか、あるいはそれらの組み合わせとしてもよい。  
なお、過回転表示部１３１ｃは、全閉状態あるいは全開状態に対する過回転領域に設けたが、全閉状態あるいは全開状態に対する手前から過回転領域にわたって設けてもよい。
【０１０２】
また、開閉度表示部１３３とは、例えば、閉弁状態から開弁状態に向かって開閉表示部１３１に表示されるバーが長くなったり短くなる、徐々に目印の数が増減したり、目盛りが増減したり、あるいは徐々に表示される数字が増減したりことで開閉度合いを表示してもよい。
【符号の説明】
【０１０３】
１…バルブ装置
１０…開閉表示ハンドル
１０Ｘ…ハンドル本体
１０Ｙ…差動回転機構
１１…透明カバー体
１２…視認規制体
１３…回転表示体
１４…遊星歯車
１６…回転固定体
５０…開閉弁機構
５３…スピンドル
１２３…開口部
１２３ａ…上方開口部
１２３ｂ…側方開口部
１３１…開閉表示部
１３１ａ…閉表示部
１３１ｂ…開表示部
１３１ｃ…過回転表示部
１３２…表示体側歯車
１３３…閉度表示
１５２…ハンドル側歯車
Ｌ…軸心
【図１】
2019157979.tif 000003
【図２】
2019157979.tif 000004
【図３】
2019157979.tif 000005
【図４】
2019157979.tif 000006
【図５】
2019157979.tif 000007
【図６】
2019157979.tif 000008
【図７】
2019157979.tif 000009
【図８】
2019157979.tif 000010
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
バルブ装置の開閉弁の弁棒を回転させるための開閉ハンドルであって、
前記弁棒を回転させるとともに、前記弁棒の回転中心を中心として回転するハンドル側歯車を有するハンドル本体と、
前記開閉弁の開弁状態と閉弁状態の少なくとも一方を表示する表示部を有するとともに、前記弁棒の回転中心を中心として回転する表示体側歯車を有する回転表示体と、
前記バルブ装置に対して回転固定されるとともに、自転可能に自転歯車を軸支した回転固定体とが備えられるとともに、
前記ハンドル側歯車が前記表示体側歯車の歯数と異なる歯数で構成され、
前記バルブ装置に対して回転固定された前記回転固定体に自転可能に軸支された前記自転歯車と、
前記自転歯車と噛合する前記ハンドル側歯車と、
前記自転歯車と噛合する前記表示体側歯車とで、
前記ハンドル本体に対して前記回転表示体を差動回転させる差動回転機構が構成され、
前記ハンドル本体が、
前記回転表示体に被せられ、前記表示部の所要部分を外部から視認可能に開口する開口部を有するとともに、前記所要部分以外の部分の外部からの視認を規制する視認規制体と、
前記視認規制体の外側全体を覆うとともに、少なくとも前記開口部の外側から視認可能に透過する透過カバー体とで構成し、
前記視認規制体が前記ハンドル側歯車と一体化されている
開閉ハンドル。
【請求項２】
前記透過カバー体は、
全体が外部から内部を視認可能に構成された
請求項１に記載の開閉ハンドル。
【請求項３】
前記視認規制体の肉厚が、前記透過カバー体の肉厚より薄く形成された
請求項１または２に記載の開閉ハンドル。
【請求項４】
前記表示部に、
視認可能な長さ、数、量及び数字によって開閉度合いを視認可能に表示する開閉度表示が設けられた
請求項１乃至３のうちいずれかに記載の開閉ハンドル。
【請求項５】
前記表示部が、
前記開弁状態を表示する開表示部と前記閉弁状態を表示する閉表示部との組み合わせで構成された
請求項１乃至４のうちいずれかに記載の開閉ハンドル。
【請求項６】
前記表示部が、
前記開表示部と前記閉表示部との複数の組み合わせで構成され、
前記視認規制体における前記開口部が、前記開表示部と前記閉表示部との組み合わせ数に対応して複数設けられた
請求項５に記載の開閉ハンドル。
【請求項７】
前記開表示部の開弁方向と逆側、及び前記閉表示部の閉弁方向と逆側のうち少なくとも一方に過回転状態を表示する過回転表示部が設けられた
請求項５または６に記載の開閉ハンドル。
【請求項８】
前記開口部が、
前記ハンドル本体における上方に向かって開口する上方開口部と、
前記ハンドル本体における側方に向かって開口する側方開口部とで構成された
請求項１乃至７のうちいずれかに記載の開閉ハンドル。
【請求項９】
請求項１乃至８のうちいずれかに記載の開閉ハンドルが、前記開閉弁の前記弁棒に装着された
バルブ装置。
【手続補正２】
【補正対象書類名】明細書
【補正対象項目名】全文
【補正方法】変更
【補正の内容】
【発明の詳細な説明】
【技術分野】
【０００１】
本発明は、例えば、ガスボンベのようなガス貯蔵容器や配管等に取り付け、ハンドルを回転操作して開閉弁を開閉し、ガスの出し入れを規制するバルブ装置及びバルブ装置に装着する開閉ハンドルに関する。
【背景技術】
【０００２】
従来より、ガスボンベのようなガス貯蔵容器等に取り付け、ハンドルを回転操作することで開閉弁を上下移動させて開閉して気体や液体等の流動体の出し入れを規制するバルブ装置が多用されている（特許文献１参照）。
【０００３】
例えば、特許文献１に記載のバルブ装置は、弁棒を回転させるハンドルと、ハンドル上方から開表示あるいは閉表示を視認される開閉表示部材とを備えるとともに、ハンドルと開閉表示部材との間に歯車伝達機構を構成しており、開弁状態および閉弁状態を読み取ることができる。
【０００４】
しかしながら、上述のような構成の場合、ハンドル上方から開閉表示を視認するため、ハンドル本体に開閉表示記号を視認する窓部を設けており、ハンドル本体と窓部との隙間から塵などの意図しない異物が侵入するおそれがあった。
【先行技術文献】
【特許文献】
【０００５】
【特許文献１】特開２０１２−２４６９６４号公報
【発明の概要】
【発明が解決しようとする課題】
【０００６】
そこで本発明は、開閉弁状態を正確に視認できるとともに、異物の侵入を防止できる開閉ハンドル及び、該開閉ハンドルを備えたバルブ装置を提供することを目的とする。
【課題を解決するための手段】
【０００７】
この発明は、バルブ装置の開閉弁の弁棒を回転させるための開閉ハンドルであって、前記弁棒を回転させるとともに、前記弁棒の回転中心を中心として回転するハンドル側歯車を有するハンドル本体と、前記開閉弁の開弁状態と閉弁状態の少なくとも一方を表示する表示部を有するとともに、前記弁棒の回転中心を中心として回転する表示体側歯車を有する回転表示体と、前記バルブ装置に対して回転固定されるとともに、自転可能に自転歯車を軸支した回転固定体とが備えられるとともに、前記ハンドル側歯車が前記表示体側歯車の歯数と異なる歯数で構成され、前記バルブ装置に対して回転固定された前記回転固定体に自転可能に軸支された前記自転歯車と、前記自転歯車と噛合する前記ハンドル側歯車と、前記自転歯車と噛合する前記表示体側歯車とで、前記ハンドル本体に対して前記回転表示体を差動回転させる差動回転機構が構成され、前記ハンドル本体が、前記回転表示体に被せられ、前記表示部の所要部分を外部から視認可能に開口する開口部を有するとともに、前記所要部分以外の部分の外部からの視認を規制する視認規制体と、前記視認規制体の外側全体を覆うとともに、少なくとも前記開口部の外側から視認可能に透過する透過カバー体とで構成し、前記視認規制体が前記ハンドル側歯車と一体化されたことを特徴とする。
【０００８】
前記バルブ装置は、ガスボンベなどの容器に取り付けられる容器バルブ、配管に取り付けられる配管バルブなどであってもよい。  
前記開弁状態と閉弁状態の少なくとも一方を表示する表示部は、文字や記号による開閉表示、色彩による開閉表示、模様による開閉表示、および明暗による開閉表示のうちいずれか、あるいはそれらの組み合わせとしてもよい。  
上述の前記表示部の所要部分とは、前記開閉弁の開弁状態と閉弁状態の少なくとも一方を表示する表示部の一部や全部としてもよい。
【０００９】
この発明により、開閉弁状態を正確に視認できるとともに、開閉ハンドルへの異物の侵入を防止することができる。  
詳述すると、バルブ装置の開閉弁の弁棒を回転させるための開閉ハンドルとして、前記弁棒を回転させるとともに、前記弁棒の回転中心を中心として回転するハンドル側歯車を有するハンドル本体と、前記開閉弁の開弁状態と閉弁状態の少なくとも一方を表示する表示部を有するとともに、前記弁棒の回転中心を中心として回転する表示体側歯車を有する回転表示体と、前記バルブ装置に対して回転固定されるとともに、自転可能に自転歯車を軸支した回転固定体とが備えられるとともに、前記ハンドル側歯車が前記表示体側歯車の歯数と異なる歯数で構成され、前記バルブ装置に対して回転固定された前記回転固定体に自転可能に軸支された前記自転歯車と、前記自転歯車と噛合する前記ハンドル側歯車と、前記自転歯車と噛合する前記表示体側歯車とで、前記ハンドル本体に対して前記回転表示体を差動回転させる差動回転機構が構成されているため、前記弁棒を回転する前記ハンドル本体の回転に対して前記回転表示体を差動回転することができる。
【００１０】
具体的には、前記ハンドル側歯車の歯数を前記表示体側歯車の歯数より多く形成すると、前記ハンドル本体の回転より速く前記回転表示体が回転する。逆に、前記ハンドル側歯車の歯数を前記表示体側歯車の歯数より少なく形成すると、前記ハンドル本体の回転より遅く前記回転表示体が回転する。
【００１１】
また、前記ハンドル本体が、前記回転表示体に被せられ、前記表示部の所要部分を外部から視認可能に開口する開口部を有するとともに、前記所要部分以外の部分の外部からの視認を規制する視認規制体と、前記視認規制体の外側全体を覆うとともに、少なくとも前記開口部の外側から視認可能に透過する透過カバー体とで構成されているため、前記表示部の所要部分を外部から視認可能に開口する開口部を有する前記視認規制体の外側全体を透過カバー体で覆っており、開口部からの異物の侵入を防止することができる。
【００１２】
さらにまた、前記表示部の所要部分を外部から視認可能に開口する開口部を有する視認規制体を、ハンドル本体に対して差動回転する前記回転表示体に被せているため、開口部を介して外部に対して正確に開閉表示することができる。
【００１３】
仮に、ハンドル本体に対して差動回転する前記回転表示体の全体を覆うように透過カバー体を被せ、その外側に視認規制体を被せても、内部に異物の侵入を防止するとともに、ハンドル本体に対して回転表示体が差動回転することで、最外側に配置した視認規制体の開口部を介して開閉表示することはできる。
【００１４】
しかしながら、表示部の所要部分以外の部分の外部からの視認を規制する視認規制体と回転表示体との間に透過カバー体が介在するため、つまり、表示部の所要部分以外の部分と視認規制体は、透過カバー体の厚み分以上の径方向の間隔を隔てて配置されるため、前記開口部に対して放射方向外側から視認する場合には正確に開閉表示できるものの、斜め方向から開口部を視認すると、前記所要部分以外の部分に対して外部からの視認を正確に規制することができず、つまり径方向の間隔分誤差が生じて、正確に開閉表示できないおそれがある。
【００１５】
なお、ハンドル本体を構成する透過カバー体は前記弁棒を回転させるための強度を確保するため、その肉厚も厚くなり、肉厚が厚くなればなるほど、斜め方向から開口部を視認する場合において、前記所要部分以外の部分に対して外部からの視認を正確に規制することができず、正確に開閉表示できないおそれが高まる。
【００１６】
これに対し、前記表示部の所要部分を外部から視認可能に開口する開口部を有する視認規制体を、ハンドル本体に対して差動回転する前記回転表示体に被せているため、つまり、表示部の所要部分以外の部分と視認規制体との径方向の間隔が小さく、開口部を介して外部に対して正確に開閉表示することができる。
【００１７】
この発明の態様として、前記透過カバー体は、全体が外部から内部を視認可能に構成されてもよい。  
この発明により、透過カバー体全体が透過可能である、つまり透過性の一部品で構成するため、透過性部材と不透過性部材とを組み付けて構成した透過カバー体に比べて強度のある透過カバー体を構成することができる。
【００１８】
またこの発明の態様として、前記視認規制体の肉厚が、前記透過カバー体の肉厚より薄く形成されてもよい。  
この発明により、より正確に開閉表示することができる。具体的には、前記視認規制体の肉厚が、前記透過カバー体の肉厚より薄いため、視認方向にかかわらず正確に開閉表示することができる。
【００１９】
またこの発明の態様として、前記表示部に、視認可能な長さ、数、量及び数字によって開閉度合いを視認可能に表示する開閉度表示が設けられてもよい。  
上述の視認可能な長さ、数、量及び数字によって開閉度合いを視認可能に表示する開閉度表示とは、例えば、閉弁状態から開弁状態に向かって表示部に表示されるバーが長くなったり短くなる、徐々に目印の数が増減したり、目盛りが増減したり、あるいは徐々に表示される数字が増減したりことで開閉度合いを表示することが含まれる。
【００２０】
この発明により、正確な開閉表示に加え、開弁状態における開弁度合い及び閉弁状態における閉弁度合いを表示することができる。したがって、全開状態や全開状態に対する弁状態を確認することができる。よって、例えば、弁状態が全開状態や全開状態に近い場合に、回転させ過ぎて過回転状態となることを防止できる。
【００２１】
またこの発明の態様として、前記表示部が、前記開弁状態を表示する開表示部と前記閉弁状態を表示する閉表示部との組み合わせで構成されてもよい。  
この発明により、開表示部が表示されていれば開弁状態、あるいは開表示部が表示されていれば開弁状態であるため、開弁状態と閉弁状態とを見間違えること防止できる。
【００２２】
またこの発明の態様として、前記表示部が、前記開表示部と前記閉表示部との複数の組み合わせで構成され、前記視認規制体における前記開口部が、前記開表示部と前記閉表示部との組み合わせ数に対応して複数設けられてもよい。  
この発明により、複数箇所において開閉表示できるため、あらゆる角度から開閉表示を視認することができる。
【００２３】
またこの発明の態様として、前記開表示部の開弁方向と逆側、及び前記閉表示部の閉弁方向と逆側のうち少なくとも一方に過回転状態を表示する過回転表示部が設けられてもよい。  
なお、前記過回転表示部は、全閉状態あるいは全開状態に対する過回転領域に設けてもよいが、全閉状態あるいは全開状態に対する手前から過回転領域にわたって設けてもよい。
【００２４】
この発明により、過回転状態を防止することができる。単に、開表示部と閉表示部とで開閉表示する場合、過回転状態であっても認識することができないが、過回転表示部を視認することで過回転状態であることを認識することができる。
【００２５】
またこの発明の態様として、前記開口部が、前記ハンドル本体における上方に向かって開口する上方開口部と、前記ハンドル本体における側方に向かって開口する側方開口部とで構成されてもよい。  
この発明により、ハンドル上方及びハンドル側方から開閉表示を視認することができる。
【００２６】
またこの発明は、上述の開閉ハンドルが、前記開閉弁の前記弁棒に装着されたバルブ装置であることを特徴とする。  
この発明により、開閉弁状態を正確に視認できるとともに、開閉ハンドルへの異物の侵入を防止することができるバルブ装置を構成することができる。
【発明の効果】
【００２７】
本発明により、開閉弁状態を正確に視認できるとともに、異物の侵入を防止できる開閉ハンドル及び、該開閉ハンドルを備えたバルブ装置を提供することができる。
【図面の簡単な説明】
【００２８】
【図１】バルブ装置の正面図。
【図２】バルブ装置の断面図。
【図３】開閉表示ハンドルの斜視図による説明図。
【図４】開閉表示ハンドルの分解斜視図。
【図５】開閉表示ハンドルの分解斜視図。
【図６】差動機構の斜視図。
【図７】開閉表示ハンドルによる開閉表示を説明する説明図。
【図８】開閉表示ハンドルによる開閉表示を説明する説明図。
【発明を実施するための形態】
【００２９】
この発明の一実施形態を、図１乃至図８とともに説明する。  
なお、図１はバルブ装置１の正面図を示し、図２はバルブ装置１の断面図を示し、図３は開閉表示ハンドル１０の斜視図による説明図を示し、図４，図５は開閉表示ハンドル１０の分解斜視図を示し、図６は差動回転機構１０Ｙの斜視図を示し、図７，８は開閉表示ハンドル１０による開閉表示を説明する説明図を示している。
【００３０】
詳述すると、図２は図１のＡ−Ａ線断面図を示し、図３（ａ）は開閉表示ハンドル１０の上方からの斜視図を示し、図３（ｂ）は開閉表示ハンドル１０の下方からの斜視図を示し、図４は開閉表示ハンドル１０の上方からの分解斜視図を示し、図５は開閉表示ハンドル１０の下方からの分解斜視図を示している。また、図６において、差動回転機構１０Ｙの構成を説明するため、差動回転機構１０Ｙを構成する回転表示体１３の手前側の一部を切欠いて図示している。
【００３１】
図７（ａ）は開閉表示ハンドル１０の拡大正面図を示し、図７（ｂ）は回転表示体１３の拡大斜視図を示し、図８は開口部１２３から視認する開閉表示の表示状態を示している。具体的には、図８（ａ）は閉弁状態の開閉表示を示し、図８（ｂ）は閉弁状態から開弁状態に向かう途中の状態の開閉表示を示し、図８（ｃ）は開弁状態の開閉表示を示し、図８（ｄ）は開弁状態において過回転表示を示し、図８（ｅ）は閉弁状態において過回転表示を示している。
【００３２】
バルブ装置１は、図示省略するボンベ容器（図示省略）の上部に装着される容器バルブ装置であり、縦長のハウジング３１と、ハウジング３１の下部において、ボンベ容器（図示省略）の上部に螺合して取り付けられる容器取付け部３２と、ハウジング３１の中段付近において側方に突出する態様のアウトレット４０と、ハウジング３１の上部において装着される開閉弁機構５０と、開閉弁機構５０に装着する開閉表示ハンドル１０とで構成している。
【００３３】
なお、開閉弁機構５０における各構成要素同士の対向部分、あるいは開閉弁機構５０とハウジング３１との対向部分における適宜の箇所にはＯリングを設置するが、Ｏリングの図示や詳しい説明については適宜省略する。
【００３４】
ハウジング３１の内部には、図２に示すように、上部において開閉弁機構５０の装着を許容する閉止弁装着凹部６１、閉止弁装着凹部６１の下端と容器取付け部３２の下端まで連通する一次側流路６２、閉止弁装着凹部６１の下端からアウトレット４０の先端まで連通する二次側流路６３を備えている。
【００３５】
閉止弁装着凹部６１は、上方が開放された略円筒形の凹部である作動室６１ａと、該作動室６１ａの下方においてひとまわり径の小さな閉止弁室６１ｂとで構成している。なお、閉止弁室６１ｂの底面には、一次側流路６２の上端が連通し、上端開口６２ａが形成され、上端開口６２ａの開口外縁に沿って上方に突出する開口弁座６２ｂが形成されている
【００３６】
そして、ハウジング３１には、閉止弁室６１ｂ、一次側流路６２及び二次側流路６３によって、容器取付け部３２の下端からアウトレット４０の先端まで連通する流路６０が形成されている。
【００３７】
閉止弁装着凹部６１に装着する開閉弁機構５０は、図２に示すように、開閉表示ハンドル１０と、グランドナット５２と、スピンドル５３と、中間伝動具５４と、中間伝動具５４の底面に装着した閉止部材５５とで構成している。  
開閉表示ハンドル１０は、詳細について後述するが、スピンドル５３の上部の被嵌合部５３ａの嵌合を許容する嵌合部１０ａを備えている。
【００３８】
グランドナット５２は、頭部ナット部５２ａと、閉止弁装着凹部６１の作動室６１ａの内面に形成した雌ネジと螺合する雄ネジ部５２ｂとで構成する中空の略円筒形である。  
スピンドル５３は、図２に示すように、開閉表示ハンドル１０の嵌合部１０ａに嵌合する被嵌合部５３ａを上部に備え、中間伝動具５４のスピンドル嵌合凹部５４ａに嵌合する嵌合部５３ｂを下部に備えている。
【００３９】
中間伝動具５４は、図２に示すように、略円柱状であり、スピンドル５３の嵌合部５３ｂの嵌合を許容するスピンドル嵌合凹部５４ａを上端に備え、閉止部材５５の嵌合を許容する閉止部材嵌合凹部５４ｂを下部に備えている。  
閉止部材５５は、図２に示すように、中間伝動具５４の閉止部材嵌合凹部５４ｂに嵌合する平面視円形の弾性部材であり、閉弁状態で開口弁座６２ｂが食い込み可能に構成している。
【００４０】
このように、開閉表示ハンドル１０、グランドナット５２、スピンドル５３、中間伝動具５４、及び閉止部材５５で構成する開閉弁機構５０は、中間伝動具５４の閉止部材嵌合凹部５４ｂに閉止部材５５を嵌合させるとともに、スピンドル５３の嵌合部５３ｂを中間伝動具５４のスピンドル嵌合凹部５４ａに嵌合し、スピンドル５３にグランドナット５２を装着して、グランドナット５２の雄ネジ部５２ｂと閉止弁装着凹部６１の雌ネジと螺合させて、閉止弁装着凹部６１に装着する。そして、スピンドル５３の被嵌合部５３ａに開閉表示ハンドル１０の嵌合部１０ａを嵌合して、開閉弁機構５０の組み付けを完了する。
【００４１】
このように構成した開閉弁機構５０は、スピンドル５３の中心を通る鉛直方向の軸心Ｌを中心に開閉表示ハンドル１０を締め付け方向に螺入回転することで、スピンドル５３を介して中間伝動具５４を下方に押し付ける。このとき、中間伝動具５４の閉止部材嵌合凹部５４ｂに嵌合した閉止部材５５に上端開口６２ａの周囲に形成した開口弁座６２ｂが食い込み、閉止部材５５によって上端開口６２ａを封止する。この状態を閉弁状態（全閉状態）とする。
【００４２】
逆に、軸心Ｌを中心に開閉表示ハンドル１０を緩み方向に回転させて、スピンドル５３を螺出すると、スピンドル５３を介して、中間伝動具５４が上方に移動するため、上端開口６２ａは開放され、一次側流路６２、閉止弁室６１ｂ及び二次側流路６３が連通し、流路６０は導通状態となる。この状態を開弁状態とする。
【００４３】
上述の開閉弁機構５０による封止状態を閉弁状態とし、開閉弁機構５０よる開放状態を開弁状態として開閉表示する開閉表示ハンドル１０は、透明カバー体１１、視認規制体１２、回転表示体１３、二つの遊星歯車１４、内歯車リング１５及び回転固定体１６で構成している。
【００４４】
また、上記構成を備えた開閉表示ハンドル１０では透明カバー体１１、視認規制体１２及び内歯車リング１５で、バルブ装置１の開閉弁機構５０のスピンドル５３を回転させるためのハンドル本体１０Ｘを構成するとともに、回転表示体１３の表示体側歯車１３２と、自転可能に回転固定体１６に軸支された２つの遊星歯車１４と、内歯車リング１５とで差動回転機構１０Ｙを構成している。
【００４５】
なお、透明カバー体１１、視認規制体１２及び内歯車リング１５で構成したハンドル本体１０Ｘは、開閉弁機構５０のスピンドル５３を回転させるとともに、軸心Ｌを中心として回転する内歯車リング１５のハンドル側歯車１５１を有するとともに、平面視方向において五方向に径外側に円弧状に突出する角部が丸い略星形であり、平面視中央の下方に嵌合部１０ａを設けている。
【００４６】
上述のようなハンドル本体１０Ｘを構成する透明カバー体１１は、後述の視認規制体１２の外側全体を覆うとともに、視認規制体１２における開口部１２３の外側から視認可能に透過する透明な樹脂で全体を構成した、五方向に径外側に円弧状に突出する角部が丸い略星形筒状である。
【００４７】
詳述すると、五方向に径外側に円弧状に突出する角部が丸い略星形の星形上面１１１と、星形上面１１１における五方向に突出する半円弧状部分の側面である円弧側面１１２と、周方向に隣り合う円弧側面１１２同士の間において所定幅で略フラット状の側面窓部１１３とで構成している。
【００４８】
なお、五方向に径外側に円弧状に突出する角部が丸い略星形の星形上面１１１の側面である円弧側面１１２同士の間に配置される側面窓部１１３は５箇所設けられることとなる。  
また、平面視中央において、上下方向に貫通し、スピンドル５３が挿通される貫通孔１１４ａが底面に有する有底円筒状の嵌合凹部１１４を設けている。
【００４９】
透明カバー体１１の内側に配置され、後述する回転表示体１３に被せられる視認規制体１２は、透明カバー体１１よりひとまわり小さな五方向に径外側に円弧状に突出する角部が丸い略星形であり、平面視中央に透明カバー体１１の嵌合凹部１１４が挿通される挿通孔１２４を設けている。なお、視認規制体１２は透明カバー体１１より薄い肉厚で構成している。
【００５０】
詳しくは、平面視中央の挿通孔１２４の周囲において、五方向に突出する平面視馬蹄形を有する馬蹄上面１２１と、馬蹄上面１２１において各馬蹄形の径外側の円弧部における円弧側面１２２とを一体構成し、周方向に隣り合う馬蹄上面１２１及び円弧側面１２２の間を開口部１２３としている。  
なお、馬蹄上面１２１において五方向に突出する平面視馬蹄形部分同士及び円弧側面１２２同士の間に配置される開口部１２３は５箇所設けられることとなる。
【００５１】
なお、馬蹄上面１２１は平面視中央側が上方に凸状となる略ドーム状である。また、開口部１２３のうち周方向に隣り合う馬蹄上面１２１同士の間を上方開口部１２３ａとし、周方向に隣り合う円弧側面１２２同士の間を側方開口部１２３ｂとしている。なお、開口部１２３の幅は、閉表示部１３１ａ及び開表示部１３１ｂの幅より狭く形成している。また、視認規制体１２における円弧側面１２２の底部には、後述する内歯車リング１５の嵌合凸部１５２と嵌合する嵌合部１２５を備えている。
【００５２】
回転表示体１３は、開閉弁機構５０の弁状態を表示する開閉表示部１３１が表示され、外壁と内壁とで構成されたリング状であり、外壁の下端が下方に延びるとともに、内周面に複数のギア歯で構成し、後述する遊星歯車１４と噛合する表示体側歯車１３２を設けている。また、内壁の下端部に径内側に突出する係合凸部１３４を設けている。
【００５３】
開閉表示部１３１は、図７（ｂ）に示すように、所定幅の閉表示部１３１ａ、所定幅の開表示部１３１ｂ及び細い幅の過回転表示部１３１ｃがこの順で周方向に配置されるとともに、繰り返して配置されている。なお、本実施形態では、閉表示部１３１ａ、開表示部１３１ｂ及び過回転表示部１３１ｃの組み合わせを周方向に五組設けている。
【００５４】
閉弁状態を表示する閉表示部１３１ａは“閉”の文字とその背景を赤色表示し、開弁状態を表示する開表示部１３１ｂは“開”の文字とその背景を緑色表示し、過回転表示部１３１ｃは黄色表示している。
【００５５】
なお、図４、５、７には文字表示及び後述する開閉度表示部１３３の図示を省略している。また、開閉表示部１３１は外壁と内壁とで構成されたリング状に構成された回転表示体１３の外周面と上面に亘って設けている。
【００５６】
また、閉表示部１３１ａ及び開表示部１３１ｂには、上述の文字及び背景色による開閉表示に加えて開閉度表示部１３３を備えている。開閉度表示部１３３のうち閉表示部１３１ａに表示する閉度表示１３３ａは、隣接する開表示部１３１ｂ（本実施形態では時計回り隣側（図８では左側））との境界を始点として、周方向において反対側に隣接する過回転表示部１３１ｃ（本実施形態では反時計回り隣側（図８では右側））に向かって徐々に高くなる正面視直角三角形状に図示している。
【００５７】
開閉度表示部１３３のうち開表示部１３１ｂに表示する開度表示１３３ｂは、隣接する閉表示部１３１ａ（本実施形態では反時計回り隣側（図８では右側））との境界を始点として、周方向において反対側に隣接する過回転表示部１３１ｃ（本実施形態では時計回り隣側（図８では左側））に向かって徐々に高くなる正面視直角三角形状に図示している。
【００５８】
遊星歯車１４は、後述する回転固定体１６の支持柱１６２に自転可能に軸支される歯車であり、平面視において軸心Ｌを挟んで二つ設けている。なお、遊星歯車１４は、後述する内歯車リング１５に対して２倍程度の高さで構成している。
【００５９】
内歯車リング１５は、回転表示体１３の外壁と同じ外径を有するリング体であり、内周に沿って複数のギア歯で構成し、遊星歯車１４と噛合するハンドル側歯車１５１を設け、リング体の外周において、径外側に突出する嵌合凸部１５２を複数設けている。
【００６０】
なお、遊星歯車１４と噛合するハンドル側歯車１５１のギア歯の数、つまりギア数は、遊星歯車１４と噛合する表示体側歯車１３２のギア数に比べて多く設けている。本実施形態においては、表示体側歯車１３２のギア数４４に対してハンドル側歯車１５１のギア数は５０で形成している。
【００６１】
回転固定体１６は、開閉表示ハンドル１０の底部を構成する円盤状であり、底面に頭部ナット部５２ａが嵌合する固定凹部１６１を設けるとともに、上面に、支持柱１６２、係合フック１６３、位置規制壁１６４を設けている。
【００６２】
固定凹部１６１は、平面視六角状の頭部ナット部５２ａが三方向で嵌合できるように１８個の角部を有する上方に凹状となる凹部であり、頭部ナット部５２ａの上方から嵌合可能に構成している。
【００６３】
支持柱１６２は、上述の遊星歯車１４が、表示体側歯車１３２及びハンドル側歯車１５１と噛合可能な径方向位置で遊星歯車１４を自転可能に軸支する円筒状の柱であり、２本の支持柱１６２を軸心Ｌを挟んで平面視方向に対称な位置に配置している。
【００６４】
係合フック１６３は回転表示体１３の内壁の内周面に設けた係合凸部１３４に係合するフックであり、２本の係合フック１６３を軸心Ｌを挟んで平面視方向に対称な位置、かつ２本の支持柱１６２と直交する向きに配置している。
【００６５】
位置規制壁１６４は、２本の支持柱１６２と２本の係合フック１６３との間に形成された平面視円弧状の壁であり、回転固定体１６の上面に載置された内歯車リング１５の内側に位置して、回転固定体１６に対する内歯車リング１５の平面視方向を規制するよう構成している。
【００６６】
このように各要素を構成した開閉表示ハンドル１０の組み付けについて、以下で説明する。  
まず、回転固定体１６の支持柱１６２に遊星歯車１４を装着するとともに、回転固定体１６の上面に内歯車リング１５を載置する。その上から、回転表示体１３を設置して、図６に示すように差動回転機構１０Ｙを構成する。
【００６７】
具体的には、回転固定体１６の上面に載置された内歯車リング１５は、位置規制壁１６４によって回転固定体１６に対する平面視方向の位置を規制された状態で、回転可能に載置される。  
このとき、遊星歯車１４と内歯車リング１５のハンドル側歯車１５１とが噛合することとなる。
【００６８】
さらに、内歯車リング１５の上に回転表示体１３が設置され、係合フック１６３が係合凸部１３４に係合しているため、回転表示体１３は、回転固定体１６に対して上下方向に規制されるが、回転固定体１６に対して回転自在に設置されることとなる。
【００６９】
このとき、回転表示体１３の表示体側歯車１３２も遊星歯車１４と噛合することとなる。  
つまり、遊星歯車１４は下方で内歯車リング１５のハンドル側歯車１５１と噛合し、上方で回転表示体１３の表示体側歯車１３２と噛合している。そのため、回転固定体１６に対して、回転表示体１３及び内歯車リング１５の一方を回転させると、遊星歯車１４を介して他方を同方向に回転させることができる差動回転機構１０Ｙを構成することができる。
【００７０】
具体的には、内歯車リング１５を回転固定体１６に対して回転させると、回転固定体１６に自転可能に軸支された遊星歯車１４は内歯車リング１５のハンドル側歯車１５１と下方で噛合しているため、自転することとなる。そして自転する遊星歯車１４の上方と回転表示体１３の表示体側歯車１３２が噛合しているため、遊星歯車１４の自転回転によって回転表示体１３が、内歯車リング１５と同方向に回転することになる。
【００７１】
このとき、内歯車リング１５のハンドル側歯車１５１と回転表示体１３の表示体側歯車１３２とはギア数が異なるため、同方向に回転する回転表示体１３と内歯車リング１５とは異なる回転速度で回転する、つまり差動回転することとなる。ハンドル側歯車１５１のギア数を表示体側歯車１３２のギア数より多く形成した本実施形態では、内歯車リング１５の回転に対して回転表示体１３が早く回転する、つまり増速回転する増速機構を構成することができる。
【００７２】
このように回転固定体１６、内歯車リング１５、遊星歯車１４及び回転表示体１３を組み付けて構成した差動回転機構１０Ｙに対して、視認規制体１２及び透明カバー体１１で構成するハンドル本体１０Ｘを組み付けて開閉表示ハンドル１０を構成する。
【００７３】
詳述すると、ハンドル本体１０Ｘを構成する視認規制体１２を回転表示体１３の上方から被せるとともに、内歯車リング１５と一体化する。内歯車リング１５と視認規制体１２との一体化は、内歯車リング１５の嵌合凸部１５２を視認規制体１２の嵌合部１２５に嵌合させて一体化する。
【００７４】
これにより、一体化した視認規制体１２と内歯車リング１５とによって上下方向から回転表示体１３を囲む態様となる。視認規制体１２及び内歯車リング１５によって囲まれた回転表示体１３は、視認規制体１２及び内歯車リング１５に対して回転自在な状態であるとともに、視認規制体１２の開口部１２３から回転表示体１３の開閉表示部１３１を外部から視認可能になる。
【００７５】
このように回転表示体１３に被せた視認規制体１２の上方から透明カバー体１１を被せて一体化することでハンドル本体１０Ｘを構成するとともに、開閉表示ハンドル１０の組み付けを完了する。なお、視認規制体１２と透明カバー体１１とを組み付けてハンドル本体１０Ｘを構成してから、視認規制体１２を回転表示体１３に被せるようにハンドル本体１０Ｘを装着してもよい。
【００７６】
このように組み付けられた開閉表示ハンドル１０は、透明カバー体１１全体が透明であるため、上述したように、視認規制体１２の開口部１２３を介して回転表示体１３の開閉表示部１３１を外部から視認可能となり、弁状態及び開閉度合いを表示することができる（図８参照）。
【００７７】
また、側面窓部１１３を構成する透明カバー体１１には、水平方向の基準線１１５を設けている。基準線１１５は、直角三角形状の開閉度表示部１３３の頂部に対応する上方に配置された上方基準線１１５ａと、上方基準線１１５ａに対して半分くらいの高さの位置に配置された中間基準線１１５ｂを表示している。
【００７８】
続いて、開閉表示ハンドル１０における開閉表示について詳細に説明する。  
まず、全閉状態（図８（ａ）参照）から全開状態（図８（ｃ）参照）まで開閉表示ハンドル１０を回転させる場合について説明する。
【００７９】
図８（ａ）で示す全閉状態では、側面窓部１１３には閉表示部１３１ａが表示されるとともに、直角三角形状の閉度表示１３３ａの頂部と上方基準線１１５ａとが一致する状態となる。  
この全閉状態から開弁するためには、スピンドル５３を螺出する方向、つまり反時計回りに開閉表示ハンドル１０を回転させる。この開閉表示ハンドル１０の回転によって、回転固定体１６は頭部ナット部５２ａに固定されているため、回転固定体１６とハンドル本体１０Ｘとで相対回転する。この回転固定体１６に対するハンドル本体１０Ｘの相対回転を差動回転機構１０Ｙによって、回転表示体１３は回転固定された回転固定体１６に対して相対回転するとともに、ハンドル本体１０Ｘに対して差動回転することとなる。
【００８０】
そのため、側面窓部１１３には、図８（ｂ）に示すように、ハンドル本体１０Ｘに対して差動回転した回転表示体１３の閉表示部１３１ａと開表示部１３１ｂとがともに表示されることとなる。この表示状態では、全閉状態から開弁された状態であることを視認することができる。
【００８１】
なお、その開度は、側面窓部１１３における移動方向後ろ側に表示されている開度表示１３３ｂによって表示することができる。具体的には、図８（ｂ）に示す状態における開度は、側面窓部１１３の左際に露出する開度表示１３３ｂが中間基準線１１５ｂと一致する程度であるため、全開状態に対して５０％程度の開放状態であることを視認できる。
【００８２】
さらに、開閉表示ハンドル１０を反時計回りに回転させると、側面窓部１１３に露出する開表示部１３１ｂが閉表示部１３１ａよりどんどん大きくなり、側面窓部１１３の左際に露出する開度表示１３３ｂの高さが高くなって、上方基準線１１５ａに近づいてくる。つまり全開状態に近づいてきていることを認識することができる。
【００８３】
開閉表示ハンドル１０を反時計回りに全開状態まで回転させると、図８（ｃ）に示すように、側面窓部１１３に開表示部１３１ｂのみが露出し、側面窓部１１３の左際に露出する開度表示１３３ｂの頂部が上方基準線１１５ａと一致することとなる。
【００８４】
この全開状態よりさらに開閉表示ハンドル１０を反時計回りに回転させると、スピンドル５３の螺出限界を超えて噛み込むこととなるため、このような全開状態を超える過回転状態では、図８（ｄ）に示すように、側面窓部１１３の左際に過回転表示部１３１ｃが露出し、過回転状態となっていることを視認することができる。
【００８５】
逆に、図８（ａ）に示す全閉状態から開閉表示ハンドル１０を時計回りに回転させた締め付け方向の過回転状態では、開放状態における過回転状態と同様にスピンドル５３が噛み込むとともに、中間伝動具５４の閉止部材嵌合凹部５４ｂに嵌合させた閉止部材５５が圧密されて割れが生じる恐れがある。そのため、このような全閉状態を超える過回転状態では、図８（ｅ）に示すように、側面窓部１１３の右際に過回転表示部１３１ｃが露出し、過回転状態となっていることを視認することができる。
【００８６】
上述したように、バルブ装置１の開閉弁機構５０のスピンドル５３を回転させるための開閉表示ハンドル１０を、スピンドル５３を回転させるとともに、スピンドル５３の軸心Ｌを中心として回転するハンドル側歯車１５１を有するハンドル本体１０Ｘと、開閉弁機構５０の開弁状態と閉弁状態の少なくとも一方を表示する開閉表示部１３１を有するとともに、スピンドル５３の軸心Ｌを中心として回転する表示体側歯車１３２を有する回転表示体１３と、バルブ装置１に対して回転固定されるとともに、自転可能に遊星歯車１４を軸支した回転固定体１６とが備えられるとともに、ハンドル側歯車１５１が表示体側歯車１３２の歯数と異なる歯数で構成され、バルブ装置１に対して回転固定された回転固定体１６に自転可能に軸支された遊星歯車１４と、遊星歯車１４と噛合するハンドル側歯車１５１と、遊星歯車１４と噛合する表示体側歯車１３２とで、ハンドル本体１０Ｘに対して回転表示体１３を差動回転させる差動回転機構１０Ｙが構成され、ハンドル本体１０Ｘが、回転表示体１３に被せられ、開閉表示部１３１のうち表示する部分を外部から視認可能に開口する開口部１２３を有するとともに、非表示部分の外部からの視認を規制する視認規制体１２と、視認規制体１２の外側全体を覆うとともに、少なくとも開口部１２３の外側から視認可能に透過する透明カバー体１１とで構成したため、開閉弁状態を正確に視認できるとともに、開閉表示ハンドル１０への異物の侵入を防止することができる。
【００８７】
詳述すると、バルブ装置１の開閉弁機構５０のスピンドル５３を回転させるための開閉表示ハンドル１０として、スピンドル５３を回転させるとともに、スピンドル５３の軸心Ｌを中心として回転するハンドル側歯車１５１を有するハンドル本体１０Ｘと、開閉弁機構５０の開弁状態と閉弁状態の少なくとも一方を表示する開閉表示部１３１を有するとともに、スピンドル５３の軸心Ｌを中心として回転する表示体側歯車１３２を有する回転表示体１３と、バルブ装置１に対して回転固定されるとともに、自転可能に遊星歯車１４を軸支した回転固定体１６とが備えられるとともに、ハンドル側歯車１５１が表示体側歯車１３２の歯数と異なる歯数で構成され、バルブ装置１に対して回転固定された回転固定体１６に自転可能に軸支された遊星歯車１４と、遊星歯車１４と噛合するハンドル側歯車１５１と、遊星歯車１４と噛合する表示体側歯車１３２とで、ハンドル本体１０Ｘに対して回転表示体１３を差動回転させる差動回転機構１０Ｙが構成されているため、スピンドル５３を回転するハンドル本体１０Ｘの回転に対して回転表示体１３を差動回転することができる。
【００８８】
また、ハンドル本体１０Ｘが、回転表示体１３に被せられ、開閉表示部１３１のうち表示する部分を外部から視認可能に開口する開口部１２３を有するとともに、非表示部分の外部からの視認を規制する視認規制体１２と、視認規制体１２の外側全体を覆うとともに、少なくとも開口部１２３の外側から視認可能に透過する透明カバー体１１とで構成されているため、開閉表示部１３１のうち表示する部分を外部から視認可能に開口する開口部１２３を有する視認規制体１２の外側全体を透明カバー体１１で覆っており、開口部１２３からの異物の侵入を防止することができる。
【００８９】
さらにまた、開閉表示部１３１のうち表示する部分を外部から視認可能に開口する開口部１２３を有する視認規制体１２を、ハンドル本体１０Ｘに対して差動回転する回転表示体１３に被せているため、開口部１２３を介して外部に対して正確に開閉表示することができる。
【００９０】
仮に、ハンドル本体１０Ｘに対して差動回転する回転表示体１３の全体を覆うように透明カバー体１１を被せ、その外側に視認規制体１２を被せても、内部に異物の侵入を防止するとともに、ハンドル本体１０Ｘに対して回転表示体１３が差動回転することで、最外側に配置した視認規制体１２の開口部１２３を介して開閉表示することはできる。
【００９１】
しかしながら、開閉表示部１３１の非表示部分の外部からの視認を規制する視認規制体１２と回転表示体１３との間に透明カバー体１１が介在するため、つまり、開閉表示部１３１の非表示部分と視認規制体１２は、透明カバー体１１の厚み分以上の径方向の間隔を隔てて配置されるため、開口部１２３に対して放射方向外側から視認する場合には正確に開閉表示できるものの、斜め方向から開口部１２３を視認すると、非表示部分に対して外部からの視認を正確に規制することができず、つまり径方向の間隔分誤差が生じて、正確に開閉表示できないおそれがある。
【００９２】
なお、ハンドル本体１０Ｘを構成する透明カバー体１１はスピンドル５３を回転させるための強度を確保するため、その肉厚も厚くなり、肉厚が厚くなればなるほど、斜め方向から開口部１２３を視認する場合において、非表示部分に対して外部からの視認を正確に規制することができず、正確に開閉表示できないおそれが高まる。
【００９３】
これに対し、開閉表示部１３１のうち表示する部分を外部から視認可能に開口する開口部１２３を有する視認規制体１２を、ハンドル本体１０Ｘに対して差動回転する回転表示体１３に被せているため、つまり、開閉表示部１３１の非表示部分と視認規制体１２との径方向の間隔が小さく、開口部１２３を介して外部に対して正確に開閉表示することができる。
【００９４】
また、透明カバー体１１は、全体が外部から内部を視認可能に構成されているため、透明カバー体１１全体が透過可能である、つまり透過性の一部品で構成するため、透過性部材と不透過性部材とを組み付けて構成した透明カバー体１１に比べて強度のある透明カバー体１１を構成することができる。  
また、視認規制体１２の肉厚が、透明カバー体１１の肉厚より薄く形成されているため、視認方向にかかわらずより正確に開閉表示することができる。
【００９５】
また、開閉表示部１３１に、視認可能な長さによって開閉度合いを視認可能に表示する開閉度表示部１３３が設けられているため、正確な開閉表示に加え、開弁状態における開弁度合い及び閉弁状態における閉弁度合いを表示することができる。したがって、全開状態や全開状態に対する弁状態を確認することができる。よって、例えば、弁状態が全開状態や全開状態に近い場合に、回転させ過ぎて過回転状態となることを防止できる。
【００９６】
また、開閉表示部１３１が、開弁状態を表示する開表示部１３１ｂと閉弁状態を表示する閉表示部１３１ａとの組み合わせで構成されているため、開表示部１３１ｂが表示されていれば開弁状態、あるいは開表示部１３１ｂが表示されていれば開弁状態であるため、開弁状態と閉弁状態とを見間違えること防止できる。
【００９７】
また、開閉表示部１３１が、開表示部１３１ｂと閉表示部１３１ａとの複数の組み合わせで構成され、視認規制体１２における開口部１２３が、開表示部１３１ｂと閉表示部１３１ａとの組み合わせ数に対応して複数設けられているため、複数箇所において開閉表示できるため、あらゆる角度から開閉表示を視認することができる。
【００９８】
また、開表示部１３１ｂの開弁方向と逆側、及び閉表示部１３１ａの閉弁方向と逆側のうち少なくとも一方に過回転状態を表示する過回転表示部１３１ｃが設けられているため、過回転状態を防止することができる。単に、開表示部１３１ｂと閉表示部１３１ａとで開閉表示する場合、過回転状態であっても認識することができないが、過回転表示部１３１ｃを視認することで過回転状態であることを認識することができる。
【００９９】
また、開口部１２３が、ハンドル本体１０Ｘにおける上方に向かって開口する上方開口部１２３ａと、ハンドル本体１０Ｘにおける側方に向かって開口する側方開口部１２３ｂとで構成されているため、ハンドル上方及びハンドル側方から開閉表示を視認することができる。  
なお、上述の開閉表示ハンドル１０が、開閉弁機構５０のスピンドル５３に装着されたバルブ装置１は、開閉弁状態を正確に視認できるとともに、開閉表示ハンドル１０への異物の侵入を防止することができる。
【０１００】
この発明の構成と、上述の実施形態との対応において、この発明のバルブ装置はバルブ装置１に対応し、
以下同様に、
開閉弁は開閉弁機構５０に対応し、
弁棒はスピンドル５３に対応し、
開閉ハンドルは開閉表示ハンドル１０に対応し、
回転中心は軸心Ｌに対応し、
ハンドル側歯車はハンドル側歯車１５１に対応し、
ハンドル本体はハンドル本体１０Ｘに対応し、
表示部は開閉表示部１３１に対応し、
表示体側歯車は表示体側歯車１３２に対応し、
回転表示体は回転表示体１３に対応し、
自転歯車は遊星歯車１４に対応し、
回転固定体は回転固定体１６に対応し、
差動回転機構は差動回転機構１０Ｙに対応し、
開口部は開口部１２３に対応し、
視認規制体は視認規制体１２に対応し、
透過カバー体は透明カバー体１１に対応し、
開閉度表示は開閉度表示部１３３に対応し、
開表示部は開表示部１３１ｂに対応し、
閉表示部は閉表示部１３１ａに対応し、
過回転表示部は過回転表示部１３１ｃに対応し、
上方開口部は上方開口部１２３ａに対応し、
側方開口部は側方開口部１２３ｂに対応するが、
この発明は、上述の実施形態の構成のみに限定されるものではなく、多くの実施の形態を得ることができる。  
例えば、上述の説明では、バルブ装置１は、ガスボンベなどの容器に取り付けられる容器バルブで構成したが、配管に取り付けられる配管バルブなどであってもよい。
【０１０１】
開弁状態と閉弁状態の少なくとも一方を表示する開閉表示部１３１は、文字による開閉表示、色彩による開閉表示、模様による開閉表示、および明暗による開閉表示のうちいずれか、あるいはそれらの組み合わせとしてもよい。  
なお、過回転表示部１３１ｃは、全閉状態あるいは全開状態に対する過回転領域に設けたが、全閉状態あるいは全開状態に対する手前から過回転領域にわたって設けてもよい。
【０１０２】
また、開閉度表示部１３３とは、例えば、閉弁状態から開弁状態に向かって開閉表示部１３１に表示されるバーが長くなったり短くなる、徐々に目印の数が増減したり、目盛りが増減したり、あるいは徐々に表示される数字が増減したりことで開閉度合いを表示してもよい。
【符号の説明】
【０１０３】
１…バルブ装置
１０…開閉表示ハンドル
１０Ｘ…ハンドル本体
１０Ｙ…差動回転機構
１１…透明カバー体
１２…視認規制体
１３…回転表示体
１４…遊星歯車
１６…回転固定体
５０…開閉弁機構
５３…スピンドル
１２３…開口部
１２３ａ…上方開口部
１２３ｂ…側方開口部
１３１…開閉表示部
１３１ａ…閉表示部
１３１ｂ…開表示部
１３１ｃ…過回転表示部
１３２…表示体側歯車
１３３…閉度表示
１５２…ハンドル側歯車
Ｌ…軸心